(57)【要約】【課題】簡易な構成で効果的な刺激を与えることができる健康増進具を提供する。【解決手段】  健康増進具１は、伸縮性を有し、使用者の身体の一部の皮膚に密着可能なように構成された筒状の袖部１１と、袖部１１を前記使用者の身体の一部に固定する固定部１２及び１３と、伸縮性を有し、一端が袖部１１の特定の箇所に固定され、他端が袖部１１の当該特定の箇所とは異なる箇所に対して着脱可能に構成された羽状部１４及び１５とを備えている。【選択図】図１
2014239813.tif 000002
【特許請求の範囲】
【請求項１】
伸縮性を有し、使用者の身体の一部の皮膚に密着可能なように構成された筒部と、
前記筒部を前記使用者の身体の一部に固定する固定手段と、
伸縮性を有し、一端が前記筒部の特定の箇所に固定され、他端が当該筒部の当該特定の箇所とは異なる箇所に対して着脱可能に構成された少なくとも一つの羽状部と
を備える、健康増進具。
【請求項２】
前記羽状部が、前記筒部の長さ方向に伸縮して前記異なる箇所に取り付けられるように構成されている、
請求項１に記載の健康増進具。
【請求項３】
複数の前記羽状部を備え、そのうちの少なくとも一つの羽状部は、他端が前記筒部の長さ方向の一方向に伸びて前記異なる箇所に取り付けられるように構成され、その他の羽状部のうちの少なくとも一つの羽状部は、他端が前記筒部の長さ方向の他方向に伸びて前記異なる箇所に取り付けられるように構成される、
請求項２に記載の健康増進具。
【請求項４】
前記羽状部が、前記筒部の長さ方向と交差する方向に伸縮して前記異なる箇所に取り付けられるように構成されている、
請求項１に記載の健康増進具。
【発明の詳細な説明】
【技術分野】
【０００１】
本発明は、使用者の健康を増進するための健康増進具に関し、特に使用者の腕等の皮膚に対して刺激を与えることにより健康を増進する健康増進具に関する。
【背景技術】
【０００２】
人体の特定の部位に対して刺激を与えることによってマッサージ効果を得るマッサージ機等の各種の健康増進具が従来提案されている。例えば、特許文献１には、基台の上に腕指圧機構、腕マッサージ機構、手のひらマッサージ機構及び指間マッサージ機構を設けると共に、駆動源であるモータ及び駆動力伝達手段を備える腕専用の多機能マッサージ機が開示されている。このマッサージ機の場合、前腕の指圧、並びに、腕、手及び指間のマッサージを一台で行うことができ、しかも一つのモータで複数の機構を動作させることができるため、省スペース化を図ることできる。
【先行技術文献】
【特許文献】
【０００３】
【特許文献１】特開２０１２−１１０５２４号公報
【発明の概要】
【発明が解決しようとする課題】
【０００４】
上述したように、上記の従来のマッサージ機の場合、一台で多くの部位に対して刺激を与えることができるものの、それらの各部位のそれぞれに対してマッサージ機構等を設けているために、高コスト化を招くという問題がある。また、この従来のマッサージ機の場合、駆動源を必要とするため、大幅な省スペース化を実現することが困難であるという問題もある。
【０００５】
本発明は、かかる事情に鑑みてなされたものであり、従来に比して大幅な低コスト化及びコンパクト化を図ることができる健康増進具を提供することを目的とする。
【課題を解決するための手段】
【０００６】
上述した課題を解決するために、本発明の一の態様の健康増進具は、伸縮性を有し、使用者の身体の一部の皮膚に密着可能なように構成された筒部と、前記筒部を前記使用者の身体の一部に固定する固定手段と、伸縮性を有し、一端が前記筒部の特定の箇所に固定され、他端が当該筒部の当該特定の箇所とは異なる箇所に対して着脱可能に構成された少なくとも一つの羽状部とを備える。
【０００７】
上記態様において、前記羽状部が、前記筒部の長さ方向に伸縮して前記異なる箇所に取り付けられるように構成されていてもよい。
【０００８】
また、上記態様において、複数の前記羽状部を備え、そのうちの少なくとも一つの羽状部は、他端が前記筒部の長さ方向の一方向に伸びて前記異なる箇所に取り付けられるように構成され、その他の羽状部のうちの少なくとも一つの羽状部は、他端が前記筒部の長さ方向の他方向に伸びて前記異なる箇所に取り付けられるように構成されていてもよい。
【０００９】
さらに、上記態様において、前記羽状部が、前記筒部の長さ方向と交差する方向に伸縮して前記異なる箇所に取り付けられるように構成されていてもよい。
【発明の効果】
【００１０】
本発明によれば、従来に比して簡易な構成で装着者に対して効果的な刺激を与えることができる。
【図面の簡単な説明】
【００１１】
【図１】実施の形態１の健康増進具の構成を示す正面図。
【図２】実施の形態１の健康増進具が使用者の前腕部に装着された状態を示す斜視図。
【図３】実施の形態１の健康増進具が使用者の前腕部に装着された状態を示す斜視図。
【図４】実施の形態１の健康増進具の変形例の構成を示す正面図。
【図５】実施の形態２の健康増進具の構成を示す正面図。
【図６】実施の形態２の健康増進具が使用者の前腕部に装着された状態を示す斜視図。
【図７】実施の形態２の健康増進具が使用者の前腕部に装着された状態を示す斜視図。
【図８】実施の形態２の健康増進具の変形例の構成を示す正面図。
【発明を実施するための形態】
【００１２】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１３】
（実施の形態１）
［健康増進具の構成］
図１は、実施の形態１の健康増進具の構成を示す正面図である。また、図２及び図３は、この健康増進具が使用者の前腕部に装着された状態を示す斜視図である。図１乃至図３に示すとおり、本実施の形態の健康増進具１は、先端に向かうにしたがって直径が小さくなる円錐台形状の筒で構成される袖部１１と、その袖部１１の先端の外周縁に取り付けられた環状の第１固定部１２と、同じく後端の外周縁に取り付けられた環状の第２固定部１３と、袖部１１の先端付近に固定され、袖部１１の長手方向に沿って伸びるように配置された第１羽状部１４と、同じく後端付近に固定され、袖部１１の長手方向に沿って伸びるように配置された第２羽状部１５とを備えている。なお、図１には示していないが、これらの第１羽状部１４及び第２羽状部１５は、袖部１１の裏面側にも同様にして設けられている。したがって、本実施の形態の健康増進具１には、２つの第１羽状部１４，１４及び２つの第２羽状部１５，１５が設けられていることになる。
【００１４】
袖部１１は、伸縮性を有する布製の生地で構成されており、使用者の前腕部に装着された場合にその前腕部の皮膚に密着可能となっている。なお、本実施の形態ではこのように袖部１１が布製の生地で構成されているが、伸縮性を有しており、使用者の前腕部の皮膚に密着可能な素材であればその他のもので構成されていてもよい。例えば、伸縮性を有するゴム製の生地又はキネシオテープ等で袖部１１が構成されていてもよい。袖部１１を構成する素材としては、特に、装着された後に皮膚をある程度押圧するようなもの、皮膚に密着した状態を維持することが可能な滑りにくいもの、及び伸縮率が比較的高いもの等が好ましい。
【００１５】
上記の袖部１１は、使用者の前腕部に装着されていない状態、すなわち伸張していない状態において、使用者の前腕部の半分程度の長さを有している。健康増進具１が使用者の前腕部に装着された場合、袖部１１はその前腕部と同程度の長さまで伸張する。これにより、使用者が健康増進具１を装着した状態においては、その前腕部の皮膚の略全面が袖部１１で覆われることになる。
【００１６】
第１固定部１２及び第２固定部１３は、ゴム等の弾性体からなる環状部材で構成されており、健康増進具１が使用者の前腕部に装着された場合に滑り止めとして機能する。より詳細に説明すると、第１固定部１２は、その内周が装着者の手首付近の周囲よりも小さくなっており、健康増進具１が使用者の前腕部に装着された場合にその手首付近を押圧することによって、袖部１１の先端部分が当該手首付近からずれないように固定する。他方、第２固定部１３は、その内周が装着者の前腕部の肘寄りの部位の周囲よりも小さくなっており、健康増進具１が使用者の前腕部に装着された場合にその肘寄りの部位を押圧することによって、袖部１１の後端部分が当該肘寄り付近からずれないように固定する。このようにして袖部１１の先端部分及び後端部分が使用者の前腕部の手首付近及び肘寄りの部位にそれぞれ固定されることにより、装着された健康増進具１の位置ずれが防止される。
【００１７】
第１固定部１２及び第２固定部１３の表面には、面ファスナーのループ部が形成されている。これらのループ部は、健康増進具１が使用者の前腕部に装着された場合に、後述するように第１羽状部１４及び第２羽状部１５のそれぞれに設けられている面ファスナーのフック部と係合される。
【００１８】
第１羽状部１４，１４及び第２羽状部１５，１５は、袖部１１の長さの２分の１から３分の２程度の長さを有する縦長の台形形状をなしており、袖部１１の場合と同様に伸縮性を有する布製の生地で構成されている。第１羽状部１４，１４のうちの一つは、その下底部分が袖部１１の正面側の先端付近に縫い付けられて固定されており、他の一つは、その下底部分が袖部１１の裏面側の先端付近に縫い付けられて固定されている。これら第１羽状部１４，１４の上底部分には、面ファスナーのフック部が形成された矩形状の羽固定部１４ａが取り付けられている。この羽固定部１４ａのフック部と第２固定部１３に設けられているループ部とが係合することにより、羽固定部１４ａが第２固定部１３に取り付けられる。
【００１９】
また、第１羽状部１４の場合と同様にして、第２羽状部１５，１５のうちの一つは、その一端が袖部１１の正面側の先端付近に縫い付けられて固定されており、他の一つは、その一端が袖部１１の裏面側の先端付近に縫い付けられて固定されている。これら第２羽状部１５，１５の他端には、面ファスナーのフック部が形成された矩形状の羽固定部１５ａが取り付けられている。この羽固定部１５ａのフック部と第１固定部１２に設けられているループ部とが係合することにより、羽固定部１５ａが第１固定部１２に取り付けられる。
【００２０】
なお、上述したとおり、本実施の形態では第１羽状部１４，１４及び第２羽状部１５，１５が袖部１１の２分の１から３分の２程度の長さを有しているが、この範囲に限定されるわけではなく、生地の伸縮率、及び使用者に与える刺激の強さ等に応じて適宜の長さとすることが可能である。
【００２１】
［健康増進具の使用方法］
以下、上述したように構成された本実施の形態の健康増進具１の使用方法について説明する。
使用者はまず、各第１羽状部１４の羽固定部１４ａ及び各第２羽状部１５の羽固定部１５ａが固定されていない状態で、自身の前腕部を第２固定部１３側から袖部１１に通す。その後使用者は、第１固定部１２が手首付近に、第２固定部１３が肘寄りの部位にそれぞれ位置するように調整する。これにより、袖部１１を手首付近及び肘寄りの部位において固定することができるため、袖部１１が使用者の前腕部の略全面を覆う状態を維持することができる。
【００２２】
次に、使用者は、１つの第１羽状部１４の羽固定部１４ａを把持した上で、羽固定部１４ａが第２固定部１３に到達するまで、袖部１１の長さ方向に第１羽状部１４を伸張する。そして、羽固定部１４ａが第２固定部１３に到達したときに、その羽固定部１４ａを第２固定部１３の適宜の位置に当接させる。これにより、羽固定部１４ａのフック部が第２固定部１３のループ部と係合し、第１羽状部１４が固定される。使用者は、もう１つの第１羽状部１４についても上記の動作を行う。
【００２３】
また、使用者は、第２羽状部１５，１５についても、第１羽状部１４，１４の場合と同様にして伸張した上で固定する。すなわち、使用者は、第２羽状部１５の羽固定部１５ａが第１固定部１２に到達するまで、袖部１１の長さ方向に第２羽状部１５を伸張し、羽固定部１５ａが第１固定部１２に到達したときに、その羽固定部１５ａを第１固定部１２の適宜の位置に当接させる。これにより、羽固定部１５ａのフック部と第１固定部１２のループ部とを係合させ、第２羽状部１５を固定する。
【００２４】
以上のようにして健康増進具１の装着がなされた結果、図２及び図３に示すように、第１羽状部１４，１４及び第２羽状部１５，１５が袖部１１の長さ方向に伸張した状態で第２固定部１３及び第１固定部１２にそれぞれ取り付けられる。この場合、第１羽状部１４，１４が収縮しようとする力によって、使用者の前腕部の皮膚に対し、肘側から手首側に向かう方向の力が加えられる。他方、第２羽状部１５，１５が収縮しようとする力によって、使用者の前腕部の皮膚に対し、手首側から肘側に向かう方向の力が加えられる。そのため、使用者の前腕部の皮膚には、健康増進具１を装着している間継続して、その前腕部の長さ方向の両方向の力が加わることになる。
【００２５】
皮膚には、わずかではあるものの抵抗・緊張が生じている場合がある。これは、そのときの体の状況が反映されているものと考えられる。このような皮膚の抵抗・緊張を適切に捉えて、それに応じた力・時間・方向で刺激を与えることにより、新陳代謝を高めたり、内臓機能に変化をもたらせたりすることができることが知られている。従来、このような皮膚への刺激は手技療法により行われているため、豊富な知識及び経験を有する専門家を要していた。健康増進具１の場合、これを装着するのみでこのような効果を発生させることができ、使用者の健康の増進に寄与することができる。なお、前腕部の皮膚に袖部１１が密着した状態の場合、装着してからしばらくすると、皮膚の抵抗・緊張が緩み、皮膚のシワ・弛み等を抑制することができる。そのような状態で当該皮膚に力が加えられることによって、上記の効果をより一層高めることができる。
【００２６】
なお、本実施の形態では第１羽状部１４及び第２羽状部１５が台形形状をなしているため、各羽状部の両側縁の少なくとも何れか一方は、袖部１１の長手方向に対して所定の角度傾斜した方向に伸びている。これにより、使用者の前腕部に健康増進具１が装着された場合、当該傾斜した方向にも力が加わることになるため、より多様な刺激を皮膚に与えることが可能になる。
【００２７】
なお、羽固定部１４ａを第２固定部１３に固定する際に、その固定の位置を適宜調整することによって、袖部１１の長手方向に対して任意の角度傾斜するように第１羽状部１４を伸ばすことが可能である。このことは、第２羽状部１５についても同様である。これにより、皮膚に対して任意の方向の刺激を与えることが可能になる。
【００２８】
上述したように、健康増進具１には２つの第１羽状部１４，１４及び２つの第２羽状部１５，１５が設けられているが、この羽状部の数はこれに限られるわけではない。それぞれの羽状部が１つ又は３つ以上設けられていてもよく、また、第１羽状部及び第２羽状部の何れかのみが設けられていてもよい。図４は、第２羽状部のみが設けられている、本実施の形態の健康増進具の変形例の構成を示す正面図である。図４に示すとおり、この変形例の場合、第１羽状部は設けられてなく、第２羽状部１５のみが第２固定部側に縫い付けられて固定されている。なお、裏面側にも同様にして１つの第２羽状部１５が設けられているため、この変形例の場合は２つの第２羽状部１５，１５が設けられていることになる。この変形例の場合、使用者の前腕部に装着されると、第２羽状部１５，１５が収縮しようとする力によって、当該前腕部の皮膚に対し、手首側から肘側に向かう方向の力が加えられる。これにより、上記と同様に、新陳代謝を高めたり、内臓機能に変化をもたらしたり等の効果を得ることができる。
【００２９】
（実施の形態２）
［健康増進具の構成］
図５は、実施の形態２の健康増進具の構成を示す正面図である。また、図６及び図７は、この健康増進具が使用者の前腕部に装着された状態を示す斜視図である。図５乃至図７に示すとおり、本実施の形態の健康増進具２は、実施の形態１の健康増進具１の場合と同様に構成された袖部２１、第１固定部２２及び第２固定部２３と、袖部２１の長手方向において離間して固定され、袖部２１の長手方向と交差する方向に沿って伸びるように配置された第１羽状部２４及び第２羽状部２５とを備えている。
【００３０】
袖部２１には、その長手方向に沿って伸びるようにテープ状の係止部２１ａが縫い付けられている。この係止部２１ａの表面には、面ファスナーのループ部が形成されている。このループ部は、健康増進具２が使用者の前腕部に装着された場合に、後述するように第１羽状部２４及び第２羽状部２５に設けられている面ファスナーのフック部と係合される。
【００３１】
第１羽状部２４及び第２羽状部２５は、袖部２１の周囲長の２分の１から３分の２程度の長さを有する縦長の台形形状をなしており、袖部２１の場合と同様に伸縮性を有する布製の生地で構成されている。これらの第１羽状部２４及び第２羽状部２５は、その下底部分が袖部２１のうちの係止部２１ａが形成されている付近にそれぞれ縫い付けられて固定されている。また、第１羽状部２４及び第２羽状部２５の上底部分には、面ファスナーのフック部が形成された矩形状の羽固定部２４ａ及び２５ａがそれぞれ取り付けられている。これらの羽固定部２４ａ及び２５ａのフック部と袖部２１の係止部２１ａのループ部とが係合することにより、羽固定部２４ａ及び２５ａが係止部２１ａに固定される。なお、第１羽状部２４及び第２羽状部２５の長さを適宜のものにすることが可能である点は実施の形態１の場合と同様である。
【００３２】
［健康増進具の使用方法］
次に、上述したように構成された本実施の形態の健康増進具２の使用方法について説明する。
使用者はまず、第１羽状部２４及び第２羽状部２５が固定されていない状態で、自身の前腕部を第２固定部２３側から袖部２１に通す。その後使用者は、実施の形態１の場合と同様に、第１固定部２２が手首付近に、第２固定部２３が肘寄りの部位にそれぞれ位置するように調整する。これにより、袖部２１を手首付近及び肘寄りの部位において固定することができるため、袖部２１が使用者の前腕部の略全面を覆う状態を維持することができる。
【００３３】
次に、使用者は、第１羽状部２４の羽固定部２４ａを把持した上で、羽固定部２４ａが係止部２１ａに到達するまで、使用者の前腕周りに第１羽状部２４を伸張する。そして、羽固定部２４ａが係止部２１ａに到達したときに、その羽固定部２４ａを係止部２１ａの適宜の位置に当接させる。これにより、羽固定部２４ａのフック部が係止部２１ａのループ部と係合し、第１羽状部２４が固定される。
【００３４】
また、使用者、上述した第１羽状部２４の場合と同様にして第２羽状部２５を前腕周りに伸ばして羽固定部２５ａを係止部２１ａの適宜の位置に当接させる。これにより、羽固定部２５ａのフック部が係止部２１ａのループ部と係合し、第２羽状部２５が固定される。
【００３５】
以上のようにして健康増進具２の装着がなされた結果、図６及び図７に示すように、第１羽状部２４及び第２羽状部２５がそれぞれ前腕周りに伸張した状態で係止部２１ａに固定される。この場合、第１羽状部２４及び第２羽状部２５が収縮しようとする力によって、使用者の前腕部の皮膚に対し、当該前腕部の長さ方向と交差する方向のうち、第１羽状部２４及び第２羽状部２５の上底部分から下底部分に向かう方向の力が加えられる。使用者の前腕部の皮膚には、健康増進具２を装着している間継続してこの力が加わることになる。これにより、実施の形態１の場合と同様に皮膚に対して継続して刺激を与えることができ、その結果新陳代謝を高めたり、内臓機能に変化をもたらしたり等の効果を得ることができる。
【００３６】
上述したように、本実施の形態の健康増進具２の場合、第１固定部２２及び第２固定部２３は環状の部材で構成されているが、その他の部材を用いることも可能である。図８は、実施の形態２の健康増進具の変形例の構成を示す正面図である。図８に示すように、この変形例の場合、長方形状の第１固定部２２及び第２固定部２３が、袖部２１の長手方向と交差する方向に伸びるように配置され、第１羽状部２４及び第２羽状部２５と同様に、その一端が係止部２１ａ付近に縫い付けられて固定されている。また、第１固定部２２及び第２固定部２３の他端にはそれぞれ、面ファスナーのフック部が形成された矩形状の接続部２２ａ及び２３ａが形成されている。この変形例の場合、第１固定部２２及び第２固定部２３を、第１羽状部２４及び第２羽状部２５と同様にして腕周りに伸張し、その接続部２２ａ及び２３ａを係止部２１ａの適宜の位置に当接させる。これにより、接続部２２ａ及び２３ａのフック部が係止部２１ａのループ部に係合し、第１固定部２２及び第２固定部２３が固定される。これにより、袖部２１の位置ずれを防止することができる。
【００３７】
（その他の実施の形態）
上述した各実施の形態では、健康増進具が使用者の前腕部に装着されているが、それ以外の部位に装着されてもよい。例えば、使用者の上腕部、大腿部、下腿部、腹部、首、及び頭部等に各実施の形態の健康増進具を装着するようにしてもよい。
【００３８】
また、上述した各実施の形態では、各羽状部が縦長の台形形状をなしているが、各羽状部が長方形状及び楕円形状等の他の形状であってもよい。また、異なる形状の羽状部が混在して設けられていてもよい。
【００３９】
また、上述した各実施の形態では、各羽状部の先端部分（羽固定部）にのみ面ファスナーのフック部が形成されているが、より広い領域にフック部を形成するような構成であってもよい。これにより、固定する際の羽状部の伸張範囲を広くすることできるため、皮膚に与える力の強さをより広い範囲で調整することが可能になる。
【００４０】
また、上述した各実施の形態では、各羽状部が面ファスナーを用いて取り付けられているが、その他の係止手段（例えば、ピン及びボタン等）を用いて取り付けられるような構成であってもよい。その場合でも、取り付けられる位置を調整可能とすることにより、固定する際の羽状部の伸張範囲を広くできるように構成されていることが好ましい。
【００４１】
なお、上記の各実施の形態を適宜組み合わせることにより新たな形態の健康増進具を実現することも可能である。具体的には、実施の形態１における第１羽状部及び第２羽状部と、実施の形態２における第１羽状部及び第２羽状部とを備える健康増進具等を実現することが可能である。
【産業上の利用可能性】
【００４２】
本発明の健康増進具は、例えば腕などの人体の各部位の皮膚に刺激を与える健康増進具などとして有用である。
【符号の説明】
【００４３】
１  健康増進具
１１  袖部
１２  第１固定部
１３  第２固定部
１４  第１羽状部
１４ａ  羽固定部
１５  第２羽状部
１５ａ  羽固定部
２  健康増進具
２１  袖部
２１ａ  係止部
２２  第１固定部
２２ａ  接続部
２３  第２固定部
２３ａ  接続部
２４  第１羽状部
２４ａ  羽固定部
２５  第２羽状部
２５ａ  羽固定部
【図１】
2014239813.tif 000003
【図２】
2014239813.tif 000004
【図３】
2014239813.tif 000005
【図４】
2014239813.tif 000006
【図５】
2014239813.tif 000007
【図６】
2014239813.tif 000008
【図７】
2014239813.tif 000009
【図８】
2014239813.tif 000010